(57)【特許請求の範囲】
【請求項１】
小屋裏空間、床下空間内に配され、メンテナンスを行う可能性を有する各種パイプ、ダクト、配線の少なくとも一部に、省電力で発光する発光体を取り付けたことを特徴とする家屋。
【発明の詳細な説明】
【０００１】
【産業上の利用分野】
本発明は、省電力で耐久性に優れた発光体を小屋裏空間、床下空間内に配される各種パイプ、ダクト、配線の一部、もしくは全部の、少なくとも一部分に省電力で発光する発光体を取り付け、トラブル発生時やメンテナンスを行う際のパイプ、ダクト、配線の識別を容易にし、作業の容易化を図った家屋に関するものである。
【０００２】
【従来の技術】
従来、小屋裏空間や床下空間内に配される各種のパイプ、ダクト、配線の修理やメンテナンスを行う際は、懐中電灯を携帯したり、備え付けの電灯等によって作業を行うものであった。
【０００３】
【発明が解決しようとする課題】
しかしながら、パイプ、ダクト、配線等に印や表示を付けておかないと、どのパイプ、ダクト、配線がどこから接続しているのか、何の機能を有しているか等が把握しにくく、特に施工時とは異なる業者や作業員が補修や点検に当たる場合には、特に混乱しやすいものであった。さらに、修理、メンテナンス等の作業を小屋裏空間や床下空間で行う場合には、懐中電灯を携帯するか、備え付けの電灯等によって作業を行うものであったが、小屋束や陸梁、床束等により影の部分が生じて作業が困難な場合があり、印や表示を取り付けておいても見つけにくいものであった。
【０００４】
【課題を解決するための手段】
本発明はこのような欠点を除去するため、省電力で耐久性に優れた発光体を小屋裏空間、床下空間内等に配される各種パイプ、ダクト、配線等の一部、もしくは全部の、少なくとも一部分に省電力で発光する発光体を取り付け、トラブル発生時やメンテナンスを行う際のパイプ、ダクト、配線の識別を容易にし、作業の容易化を図った家屋を提案するものである。
【０００５】
【実施例】
以下に図面を用いて本発明に係る家屋の一実施例について詳細に説明する。ここでは、家屋Ａの小屋裏空間Ｂに空気循環機構Ｃを配した場合について説明するものであり、Ｄは天井板、Ｅは開閉口、Ｆはスイッチである。なお、図１では家屋Ａの輪郭は点線にて示してあり、小屋裏空間Ｂ内の小屋束、陸梁等の躯体は省略してある。
【０００６】
空気循環機構Ｃは、例えば図２に拡大して示すような構成のもので、図４（ａ）、（ｂ）に示すような構成の家屋Ａに備えられた機構の一部であり、１は給気ダクト、２は排気ダクト、３は熱交換換気扇、４は送気ダクト、５は換気ダクト、６は小屋裏換気ダクト、７は収集ダクト、８はチャンバー、９は集換気ダクトであり、それぞれ斜線に示す部分に省電力で発光し、変形が容易な面状の発光体Ｇを配したものである。
【０００７】
図３は図２に点線で囲んだ範囲の拡大図であり、発光体Ｇに接続先や機能等を示した文字を描き、修理やメンテナンスの際の作業性を向上させるものである。発光体ＧはスイッチＦ等により操作しても良いが、スイッチＦを開閉口Ｅと連動にし、開閉口Ｅを開けると自動的に点灯するようにし、スイッチＦの存在を知らなくとも、小屋裏空間Ｂ内の各部材の接続先、機能等を容易に把握することができるようにすることができる。
【０００８】
図２に示した空気循環機構Ｃは、例えば図４（ａ）に示すように外周を断熱材層１０で覆われた構成の空気循環型の家屋Ａの一部分の構成であり、壁内空間Ｈ、床下空間Ｉ、室内空間Ｊを有し、床下空間Ｉの底部には土間暖房装置Ｋを有するものである。なお、送気ダクト４の下端部には床下空間Ｉ内に位置するように分散ダクト１１を配し、開口１２の下部には壁内空間Ｈと室内空間Ｊを連絡する窓下吸気口１３を設け、室内空間Ｊの任意箇所、ここでは天井部分に換気ダクト５につながる換気口１４を設けたものである。
【０００９】
ここで、図４（ａ）に示した家屋Ａ内の空気の流れの概略を、図４（ｂ）に示す。すなわち、外部から給気ダクト１を経て取り入れられた空気は、熱交換換気扇３を経て送気ダクト４に送られ、床下空間Ｉ内にて分散ダクト１１によって分散される。そして、土間暖房装置Ｋより熱を受けて床下空間Ｉから壁内空間Ｈに移動し、一方は小屋裏空間Ｂに上昇して輻射熱で室内空間Ｊの暖房を行い収集ダクト７にて収集されてチャンバー８に移動し、もう一方は窓下吸気口１３から室内空間Ｊに入り、換気口１４、換気ダクト５を経て室内空間Ｊの換気を行いチャンバー８に移動し、混ざり合って集換気ダクト９を経て熱交換換気扇３に至り、外部より取り入れた新鮮な空気と熱交換を行って外部に放出されるものである。
【００１０】
図４（ａ）、（ｂ）に示した構造の家屋Ａは、熱輻射による暖房効果と自然な換気作用を同時に得られる、健康的で快適な住宅となるものである。勿論、発光体Ｇを配する対象は図１、図２等に示した空気循環機構Ｃの各部材に限るものではなく、各種パイプや配線、また、あらゆる様式の小屋裏空間Ｂ、床下空間Ｉのパイプ、ダクト、配線に施すこともできる。
【００１１】
発光体Ｇは、変形が容易で省電力で発光するものならば何でも良いが、例えば薄板長尺状で加えられた電気的信号に応答して光を生ずるエレクトロルミネッセンス（以下、単にＥＬと称する）１５を用いるものである。ＥＬ１５は、典型的なものとして微粒子に粉砕されて結合剤中に分散され、２つの板またはシート状の電極間で薄い層に分散させられた蛍光体を含むものであり、前記電極の少なくとも一方は実質的に透明である。そして前記２つの電極に対し電気的信号を加えると、前記蛍光物質が発光させられ、その光の一部が実質的に透明な電極を通して外部に送出されるものである。
【００１２】
ＥＬ１５の構成の例として、例えば無アルカリガラスからなる基板上に陽極、有機化合物膜、陰極で構成されたエレクトロルミネッセンスの陰極上に、耐水性、耐久性、耐熱性に優れたポリ尿素保護膜を形成したものを使用し、陰極の腐食による素子の劣化を防止した長寿命のものを使用することもできる。
【００１３】
ＥＬ１５は、変形が容易な上に薄膜状であり、また配線が簡素であるためあらゆる箇所に容易に配置でき、さらに省電力にて十分な発光量を有するため、省電力で小屋裏空間Ｂ内における視認性を充分に確保できるものである。
【００１４】
ＥＬ１５は薄膜帯状の厚みが０．１０ｍｍ〜５．０ｍｍ程度で変形自在であり、例えば駆動電圧が１０Ｖ以下で数万ｃｄ／ｍ2 の輝度を有するもので、その構造としては、陽極（ＩＴＯ）／発光層／陰極のような有機化合物膜が発光層（高分子膜或いはオリゴマー膜から成る）のみの単層構造の場合、陽極／正孔輸送層／発光層／陰極、または陽極／発光層／電子輸送層／陰極のような有機化合物膜が正孔輸送層と発光層、或いは発光層と電子輸送層の２層構造の場合、陽極／正孔輸送層／発光層／電子輸送層／陰極の３層構造の場合がある。
【００１５】
有機化合物膜の正孔輸送層としては、例えばＮ、Ｎ′−ジフェニル−Ｎ、Ｎ′−ビス（３−メチルフェニル）１、１′−ビフェニル４、４′−ジアミンに代表される正孔輸送能を持つ低分子色素を蒸着法により形成した薄膜や正孔輸送性の分子構造を有する高分子膜（ポリアミド、ポリイミド、ポリアゾメチン等）を蒸着重合法により形成した薄膜が用いられ、また正孔輸送性の低分子色素を高分子薄膜中に蒸着分散させたものでも良い。
【００１６】
また、発光層としては、例えば８−オキシキノリノアルミニウム錯体（以下、Ａｌｑ3 という）に代表される発光性色素を蒸着法により形成した薄膜やスチルベン、オキサジアゾール等の共役系構造を有する高分子膜（ポリ尿素、ポリイミド、ポリオキサジアゾール等）を蒸着重合法により形成した薄膜が用いられ、また発光性色素を高分子薄膜中に蒸着分散させたものでも良い。
【００１７】
さらに、電子輸送層としては、例えばＡｌｑ3 やオキサジアゾール誘導体の蒸着薄膜が用いられ、またアントラキノジメタン誘導体、ジフェニルキノン誘導体の薄膜も用いることができる。
【００１８】
発光体Ｇとして使用されるＥＬ１５の構造は、上述のうち２層構造のものの場合、例えば図５に示すようなものである。すなわち、無アルカリガラスからなる基板１６、例えばＩＴＯ膜からなる陽極１７、正孔輸送層（または発光層）１８、発光層（または電子輸送層）１９、例えばＭｇ−Ａｇ合金からなる陰極２０は、ポリ尿素保護膜２１、Ａｇからなる取り出し電極２２で構成されているものである。
【００１９】
なお発光体Ｇは、図示しないセンサーを用いて人が接近した時のみ発光させて経済性を助長したり、点滅させることにより所在を強調することもできる。また、発光体Ｇを点灯する電気をソーラー発電によって供給することもできる。さらに、天井板Ｄの上面の一部に発光体Ｇを配し、小屋裏空間Ｂ内における作業性をさらに向上させることができる。なお、危険と思われる箇所や強度的に弱い箇所などに発光体Ｇを配設すれば、小屋裏空間Ｂを物置として活用している場合などには危険防止の効果もある。
【００２０】
【発明の効果】
以上説明したような本発明に係る家屋によれば、▲１▼トラブル発生時やメンテナンスを行う際のパイプ、ダクト、配線の識別を容易にし、作業が容易になる。▲２▼小屋裏空間を物置等として生活に活用している場合には、ぶつからないように注意を促すことができる。等の特徴、効果がある。
【図面の簡単な説明】
【図１】本発明に係る家屋の全体を示す説明図である。
【図２】空気循環機構の説明図である。
【図３】空気循環機構の部分拡大図である。
【図４】家屋の構造の一例を示す説明図である。
【図５】発光体の構成の一例を示す説明図である。
【符号の説明】
Ａ  家屋
Ｂ  小屋裏空間
Ｃ  空気循環機構
Ｄ  天井板
Ｅ  開閉口
Ｆ  スイッチ
Ｇ  発光体
Ｈ  壁内空間
Ｉ  床下空間
Ｊ  室内空間
Ｋ  土間暖房装置
１  給気ダクト
２  排気ダクト
３  熱交換換気扇
４  送気ダクト
５  換気ダクト
６  小屋裏換気ダクト
７  収集ダクト
８  チャンバー
９  集換気ダクト
１０  断熱材層
１１  分散ダクト
１２  開口
１３  窓下吸気口
１４  換気口
１５  エレクトロルミネッセンス
１６  基板
１７  陽極
１８  正孔輸送層（または発光層）
１９  発光層（または電子輸送層）
２０  陰極
２１  ポリ尿素保護膜
２２  取り出し電極
【図１】
0003855180.tif 000002
【図２】
0003855180.tif 000003
【図３】
0003855180.tif 000004
【図４】
0003855180.tif 000005
【図５】
0003855180.tif 000006